(57)【要約】【課題】大地震などが発生した場合でも、擁壁を構成する壁面パネルの位置ズレや傾き、擁壁、盛土層およびアスファルト路盤の破壊を防ぐことができる盛土構造物およびその構築方法を提供することである。【解決手段】盛土構造物１は、斜面地山２の下部における基礎ブロック３にプレキャストコンクリートパネル４を積み重ねて形成された擁壁５と、該擁壁５と斜面地山２との間に盛土材６を多段状に積層してなる盛土層７と、該盛土層７の上部における斜面地山２に形成されて斜面用カウンターブロック８と、該斜面用カウンターブロック８と盛土層７と擁壁５との上面にわたって設置されたＰＣ床板９とから構成され、該ＰＣ床板９が擁壁５を貫通して基礎ブロック３に定着された引張材１３と、盛土層７を貫通して地盤１１に定着されたグラウンドアンカー４２と、斜面用カウンターブロック８に定着された緊結材３４とで固定され、擁壁５が斜面用カウンターブロック８に固定用連結材３５で接合されたことである。【選択図】図１
2008144442.tif 000002
【特許請求の範囲】
【請求項１】
斜面地山の下部における基礎ブロックにプレキャストコンクリートパネルを積み重ねて形成された擁壁と、該擁壁と斜面地山との間に盛土材を多段状に積層してなる盛土層と、該盛土層の上部における斜面地山に形成された斜面用カウンターブロックと、該斜面用カウンターブロックと盛土層と擁壁との上面にわたって設置されたＰＣ床板とから構成され、該ＰＣ床板が擁壁を貫通して基礎ブロックに定着された引張材と、盛土層を貫通して地盤に定着されたグラウンドアンカーと、斜面用カウンターブロックに定着された緊結材とで固定され、擁壁が斜面用カウンターブロックに固定用連結材で接合されたことを特徴とする盛土構造物。
【請求項２】
斜面地山の下部における基礎ブロックにプレキャストコンクリートパネルを積み重ねて擁壁を構築する工程と、該擁壁と斜面地山との間に盛土材を多段状に投入して積層した盛土層を構築する工程と、該盛土層の上部における斜面地山に斜面用カウンターブロックを構築する工程と、該斜面用カウンターブロックと盛土層と擁壁との上面にわたってＰＣ床板を設置する工程と、該ＰＣ床板から擁壁を貫通して基礎ブロックに定着した引張材と、ＰＣ床板から盛土層を貫通して地盤に定着したグラウンドアンカーと、ＰＣ床板から斜面用カウンターブロックに定着した緊結材とを所定の緊張力で緊張して定着する工程と、擁壁を斜面用カウンターブロックに固定用連結材で接合する工程とからなることを特徴とする盛土構造物の構築方法。
【発明の詳細な説明】
【技術分野】
【０００１】
本願発明は盛土構造物およびその構築方法に関するものである。
【背景技術】
【０００２】
従来の盛土構造物としては、例えば特開２００２−２４２１８６号公報の発明が知られている。この盛土構造物は、斜面地山の下部における基礎ブロックに壁面パネルが積み重ねられ、この壁面パネルと斜面地山との間に、補強材を介在させて盛土材が多段状に積層された盛土層が形成され、この盛土層の上面にアスファルト路盤が設置されて構成されている。また壁面パネルは連結部材で上下方向に緊結されて基礎ブロックに固定されている。
【特許文献１】特開２００２−２４２１８６号公報
【発明の開示】
【発明が解決しようとする課題】
【０００３】
しかし、上記の盛土構造物は、大地震などが発生した場合、基礎ブロックに固定された壁面パネルの位置ズレや傾きが起こったり、あるいは擁壁、盛土層およびアスファルト路盤が破壊するという問題があった。
【０００４】
本願発明はこれらの問題に鑑みてなされたものであり、その目的は、大地震などが発生した場合でも、擁壁を構成する壁面パネルの位置ズレや傾き、擁壁、盛土層およびアスファルト路盤の破壊を防ぐことができる盛土構造物およびその構築方法を提供することである。
【課題を解決するための手段】
【０００５】
以上の課題を解決するための盛土構造物は、斜面地山の下部における基礎ブロックにプレキャストコンクリートパネルを積み重ねて形成された擁壁と、該擁壁と斜面地山との間に盛土材を多段状に積層してなる盛土層と、該盛土層の上部における斜面地山に形成された斜面用カウンターブロックと、該斜面用カウンターブロックと盛土層と擁壁との上面にわたって設置されたＰＣ床板とから構成され、該ＰＣ床板が擁壁を貫通して基礎ブロックに定着された引張材と、盛土層を貫通して地盤に定着されたグラウンドアンカーと、斜面用カウンターブロックに定着された緊結材とで固定され、擁壁が斜面用カウンターブロックに固定用連結材で接合されたことを特徴とする。
また盛土構造物の構築方法は、斜面地山の下部における基礎ブロックにプレキャストコンクリートパネルを積み重ねて擁壁を構築する工程と、該擁壁と斜面地山との間に盛土材を多段状に投入して積層した盛土層を構築する工程と、該盛土層の上部における斜面地山に斜面用カウンターブロックを構築する工程と、該斜面用カウンターブロックと盛土層と擁壁との上面にわたってＰＣ床板を設置する工程と、該ＰＣ床板から擁壁を貫通して基礎ブロックに定着した引張材と、ＰＣ床板から盛土層を貫通して地盤に定着したグラウンドアンカーと、ＰＣ床板から斜面用カウンターブロックに定着した緊結材とを所定の緊張力で緊張して定着する工程と、擁壁を斜面用カウンターブロックに固定用連結材で接合する工程とからなることを特徴とする。
【発明の効果】
【０００６】
ＰＣ床板前部と擁壁と基礎ブロックとが引張材で連結され、ＰＣ床板後部が緊結材で斜面用カウンターブロックに固定され、擁壁と斜面用カウンターブロックとが固定用連結材で接合されたことにより、ＰＣ床板と擁壁と基礎ブロックと斜面用カウンターブロックとが一体となってグラウンドアンカーで地盤に固定されるので、大地震によっても崩壊せずに耐えることができる。またＰＣ床板と擁壁と基礎ブロックと斜面用カウンターブロックとが一体となった外殻体を形成することができる。また外殻体として盛土層を包み込むように保護するので、大地震によっても盛土層が破壊されることがない。また盛土構造物を全体としてグラウンドアンカーで地盤に固定することができる。また斜面用カウンターブロックと盛土層と擁壁との上面にわたってＰＣ床板が確実かつ迅速に設置できる。
【発明を実施するための最良の形態】
【０００７】
以下、本願発明の盛土構造物およびその構築方法の実施の形態を図面に基づいて説明する。はじめに盛土構造物について説明し、その後に、この盛土構造物の構築方法の実施の形態について説明するが、各実施の形態において同じ構成は同じ符号を付して説明する。
【０００８】
盛土構造物１は、図１および図２に示すように、斜面地山２の下部における基礎ブロック３にプレキャストコンクリートパネル（以下ＰＣパネルという）４が積み重ねられた擁壁５と、該擁壁５と斜面地山２との間に盛土材６が多段状に積層されてなる盛土層７と、該盛土層７の上部における斜面地山２に形成された斜面用カウンターブロック８と、該斜面用カウンターブロック８と盛土層７と擁壁５との上面にわたって設置されたＰＣ床板９とから構成されている。
【０００９】
斜面地山２の下部には基礎ブロック３が現場打ちコンクリートまたはプレキャストコンクリートで形成され、小口径鋼管杭１０で支持されている。この小口径鋼管杭１０の下部にはアンカー体５１が形成され、このアンカー体５１に定着されたＰＣ鋼線４５が所定の緊張力を付与されて基礎ブロックの定着板５２に定着されている。この基礎ブロック３には、ＰＣパネルからなる擁壁５が立設され、その貫通孔１２には所定の緊張力が付与された引張材１３が挿入されている。この引張材１３の下端部が基礎ブロック３のＰＣ鋼棒１４に接合されるとともに、その上端部がＰＣ床板の定着プレート１５に定着されて、基礎ブロック３と擁壁５とＰＣ床板９とを一体接合している。
【００１０】
この擁壁５には継手用カプラー１６で接続された二本の緊張ロッド１７ごと、すなわち二段のＰＣパネル４ごとにプレストレスが付与されている。また擁壁の貫通孔１２には緊張ロッドの注入孔１８からのグラウト１９が充填されて、ＰＣパネル４を一体化している。
【００１１】
この引張材１３を構成する緊張ロッド１７は、図３に示すように、高張力鋼材からなる中空鋼管であり、上下端部に雌ネジ部２０、２１が形成され、上部雌ネジ部２０には締付ナット２２が設置されるとともに、下部雌ネジ部２１には継手用カプラー１６が設置され、該継手用カプラー１６の上側には注入孔１８が開口されている。
【００１２】
一方、擁壁５を構成するＰＣパネル４は軽量コンクリートで形成された縦１ｍ、横２ｍの大きさのものであり、背面の補強リブ２３に緊張ロッドが挿入される貫通孔１２が形成され、この貫通孔１２の上部スペース２４には定着プレート２５が設置されている。
【００１３】
これらのＰＣパネル４はせん断ピン２６で上下に接合され、図４に示すように、一側面における半円形の嵌合凹溝２７に、他側面のＰＣパネル４の嵌合突起２８が嵌合されるとともに、他側面における嵌合突起２８が一側面のＰＣパネル４の嵌合凹溝２７に嵌合されて擁壁５を形成し、この接合部を中心に回転できるようになっている。
【００１４】
この擁壁５と斜面地山２との間には盛土材６が補強材２９を介して多段状に積層された盛土層７が形成されている。また盛土材６は種々の混合土であり、これがＰＣパネル４ごとに投入されて、その上面に網状のジオテキスタイル、鋼材、防錆した金網、合成樹脂や繊維性のシート材、網体などの補強材２９が敷設されている。
【００１５】
この補強材２９は盛土材６との間に働く摩擦力や付着力によって、盛土材６の引張り抵抗を高めて、盛土材６内のクラックの発生を効果的に防ぐとともに、盛土層７全体のせん断強度を大きくしている。また各盛土材６にはＰＣパネル背面の補強リブ２３から延びた長短二本のアンカー材３０が埋設され、このアンカー材３０が補強リブ２３に接続された鋼棒３１と、その先端側に設けた支圧板３２とから構成されている。この鋼棒３１には連結リング５３が設置され、この連結リング５３内をグラウンドアンカーのＰＣ鋼線５４が通っている。
【００１６】
この盛土層７の上面における斜面地山２には斜面用アンカーブロック８が現場打ちコンクリートまたプレキャストコンクリートで構築され、段状の載置部３３にＰＣ床板後部が設置されている。このＰＣ床板後部は斜面用アンカーブロック８に定着されたＰＣ鋼棒などの緊結材３４で固定されている。また斜面用アンカーブロック８と擁壁５とが水平の固定用連結材３５で接合されている。このように引張材１３、緊結材３４および固定用連結材３５は長さ方向に沿って適宜間隔ごとに設置されている。
【００１７】
よってＰＣ床板前部が擁壁５と基礎ブロック３とに接合されると共に、ＰＣ床板後部が斜面用アンカーブロック８に接合され、該斜面用アンカーブロック８と擁壁５とが固定用連結材３５で接合されることにより、ＰＣ床板９と基礎ブロック３と擁壁５と斜面用アンカーブロック８とが一体となった外殻体３６が形成され、この外殻体３６で盛土層７を囲むようにしている。
【００１８】
またＰＣ床板９は、図５および図６に示すように、先端に立上部３７を立設したＰＣブロック３８がＰＣ鋼線３９で横方向に接合されて構成されている。このＰＣブロック３８は長さ方向に埋設されたＰＣ鋼線３９で所定のプレストレスが付与されて形成され、これが盛土層７の上面に連続的に設置されてＰＣ鋼線３９で接合されることによりＰＣ床板９を構成し、このＰＣ床板９の上面にトップコンクリート４０またはアスファルト４０が打設されて路盤４１が構築されている。このＰＣ床板前部が引張材１３で擁壁５および基礎ブロック３に接合されると共に、後部が斜面用アンカーブロック８に接合され、さらに中央部がグラウンドアンカー４２で地盤１１に固定されている。このクラウンドアンカー４２も長さ方向に適宜間隔ごとに設置されている。
【００１９】
このグラウンドアンカー４２のＰＣ鋼線５４が、基礎ブロック３の定着板５２に定着されたＰＣ鋼線にカプラー５６で接続されて盛土層７を貫通して上部に延び、所定の緊張力を付与されてＰＣ床板９に定着されている。このためＰＣ床板９と基礎ブロック３と擁壁５と斜面用アンカーブロック８と盛土層７とが一つとなった盛土構造物１がグラウンドアンカー４２で斜面地山２に一体的に接合されたことにより、直下型などの大地震でも崩壊することがない。
【００２０】
次に、上記の盛土構造物の構築方法について説明する。はじめに、図７に示すように、斜面地山２の下部における地盤１１に掘削孔４３を削孔する。そして、この掘削孔４３に小口径鋼管５５を挿入してグラウト４４を注入すると小口径鋼管杭１０と、この下部におけるアンカー体５１とが構築される。そして、この小口径鋼管杭１０とアンカー体５１とのグラウト４４に複数のＰＣ鋼線４５を挿入する。
【００２１】
次に、このグラウト４４の養生期間中に基礎ブロック３を現場打ちコンクリートまたはプレキャストコンクリートで構築する。そして、この基礎ブロック３のアンカー貫通孔４６に上記のＰＣ鋼線４５の上部を挿入し、所定の緊張力を付与して定着板５２に定着することにより小口径鋼管杭１０で支持された基礎ブロック３が完成する。そして、このＰＣ鋼線４５にカプラー５６によってグラウンドアンカーのＰＣ鋼線５４を接続する。
【００２２】
次に、斜面地山２の上部を切削して斜面用アンカーブロック用の段部（階段状）４７を形成するとともに、これらにロックボルト４８を打設して安定させる。そして、この段部４７に現場打ちコンクリートまたはプレキャストコンクリートで斜面用アンカーブロック８を形成する。この斜面用アンカーブロックの上面４９はＰＣ床板９の上面と同一になる高さであり、前部にはＰＣ床板後部を載せる段状の載置部３３が形成されている。
【００２３】
次に、基礎ブロック３にＰＣ鋼棒１４を固定し、その上部に継手用カプラー１６で一本目の緊張ロッド１７を接続すると共に、これに他の緊張ロッド（二本目）１７を接続する。
【００２４】
次に、図８に示すように、基礎ブロック３上にＰＣパネル４を設置して、その貫通孔１２に上記の緊張ロッド１７を挿入する。そして、このＰＣパネル４をせん段ピン２６で基礎ブロック３に接合するとともに、横方向にも他のＰＣパネル４を連続的に接合して１段目のＰＣパネル４を形成する。次に、上記と同じ方法により、一段目のＰＣパネル４上に他のＰＣパネル４を設置して二段目のＰＣパネル４を形成するが、これら上下のＰＣパネル４も上記と同じせん断ピン２６で接合する。
【００２５】
次に、図９に示すように、これらのＰＣパネル４の貫通孔１２から突出した緊張ロッド１７の上端部にグラウト用圧入ホース５０を接続してグラウト１９を圧入すると、これが緊張ロッド１７の注入口１８から貫通孔１２内に充填される。そして、このグラウト１９が硬化した後に、緊張ロッド１７の上部における締付ナット２２を締め付けて定着プレート２５に定着することにより、所定の緊張力が付与される。このことにより所定のプレストレスが付与された一段目および二段目のＰＣパネル４が基礎ブロック３に固定される。なお、二段目のＰＣパネルの緊張ロッド１７に、他の緊張ロッド１７を継ぎ足す場合は、上記締付ナット２２がねじ込まれた上部雌ネジ部２０に、継手用カプラー１６をねじ込んで行うものとする。
【００２６】
また、上記のようにＰＣパネル４を二段積み重ねてから、これらの貫通孔１２にグラウト１９を注入したが、一段目を設置した後に貫通孔１２にグラウト１９を注入するようにしても良い。すなわち二段単位で貫通孔１２にグラウト１９を注入して緊張ロッド１７を緊張する他、一段単位で貫通孔１２にグラウト１９を注入して緊張ロッド１７を緊張するようにしても良い。
【００２７】
次に、一段目および二段目のＰＣパネル背面の補強リブ２３にアンカー材３０を接合して、斜面地山２側に配置する。そして、この斜面地山２とこれらのＰＣパネル４との間に一段目の盛土材６を一段目のＰＣパネル４の上面にまで投入し、この上にジオテキスタイルなどの補強材２９を敷設して一段目の盛土材６を形成する。次に、これと同じ方法によって、二段目のＰＣパネル４を積み重ねて二段目の盛土材６を打設する。
【００２８】
次に、上記の作業を順次繰り返して、三段目および四段目のＰＣパネル４を積み重ね、図１に示すような、自立した擁壁５と、盛土材６が積層された盛土層７とを構築する。このとき、カプラー５６によってＰＣ鋼線４５に接続された他のＰＣ鋼線５４は吊り上げておき、盛土層７が完成したときに、この上面から上部を突出させる。そして、最上段のＰＣパネル（図面においては４段目）４を積み重ねた後、このＰＣパネル４と斜面用アンカーブロック８とを固定用連結材３５で接合する。このことにより擁壁５は基礎ブロック３のほか、斜面用アンカーブロック８にも固定されたことになり、前側への転倒を防ぐことができる。
【００２９】
次に、最上段の盛土材６を投入して擁壁５の上面と斜面用アンカーブロック８の載置部３３とが同一面状になった盛土層７を形成した後、この盛土層７と擁壁５と斜面用アンカーブロック８とにわたってＰＣ床板９を設置すると、このＰＣ床板９の上面は斜面用アンカーブロック８の上面と同一になる。
【００３０】
次に、ＰＣ床板９から擁壁５を貫通して基礎ブロック３に定着した引張材１３に所定の緊張力を付与してＰＣ床板前部を固定するとともに、ＰＣ床板後部を緊結材３４で斜面用アンカーブロック８に固定する。この段階で、基礎ブロック３と擁壁５とＰＣ床板９と斜面用アンカーブロック８とが一体となった外殻体３６が形成される。そして、ＰＣ床板９から盛土層７を貫通して地盤１１に定着したグラウンドアンカーのＰＣ鋼線５４を所定の緊張力で緊張してＰＣ床板中央部に定着することにより、上記の外殻体３６が盛土層７を囲むようにして設置される。
【００３１】
次に、ＰＣ床板９の上にトップコンクリート４０またはアスファルト４０を打設して路盤４１を形成すると、図１および２に示すような、盛土構造物１が完成する。
【図面の簡単な説明】
【００３２】
【図１】盛土構造物の断面図である。
【図２】盛土構造物の断面斜視図である。
【図３】（１）は緊張ロッドの正面図、（２）は同断面図である。
【図４】ＰＣパネルを接合した擁壁の平面図である。
【図５】ＰＣ床板の斜視図である。
【図６】（１）および（２）はＰＣ床板の断面図である。
【図７】盛土構造物の構築方法の断面図である。
【図８】盛土構造物の構築方法の断面図である。
【図９】ＰＣパネルの貫通孔にグラウトを充填する断面図である。
【符号の説明】
【００３３】
１  盛土構造物
２  斜面地山
３  基礎ブロック
４  ＰＣパネル
５  擁壁
６  盛土材
７  盛土層
８  斜面用アンカーブロック
９  ＰＣ床板
１０  小口径鋼管杭
１１  地盤
１２  貫通孔
１３  引張材
１４  ＰＣ鋼棒
１５  定着プレート
１６  継手用カプラー
１７  緊張ロッド
１８  注入口
１９、４４  グラウト
２０  上部雌ネジ部
２１  下部雌ネジ部
２２  締付ナット
２３  補強リブ
２４  上部スペース
２５  定着プレート
２６  せん断ピン
２７  嵌合凹溝
２８  嵌合突起
２９  補強材
３０  アンカー材
３１  鋼棒
３２  支圧板
３３  載置部
３４  緊結材
３５  固定用連結材
３６  外殻体
３７  立上部
３８  ＰＣブロック
３９、４５、５４  ＰＣ鋼線
４０  トップコンクリート
４１  路盤
４２  グラウンドアンカー
４３  掘削孔
４６  アンカー貫通孔
４７  段部
４８  ロックボルト
４９  斜面用アンカーブロックの上面
５０  グラウト用圧入ホース
５１  アンカー体
５２  定着板
５３  連結リング
５５  小口径鋼管
５６  カプラー
【図１】
2008144442.tif 000003
【図２】
2008144442.tif 000004
【図３】
2008144442.tif 000005
【図４】
2008144442.tif 000006
【図５】
2008144442.tif 000007
【図６】
2008144442.tif 000008
【図７】
2008144442.tif 000009
【図８】
2008144442.tif 000010
【図９】
2008144442.tif 000011